(57)【要約】      （修正有）【課題】主要部及び両扇に間隙を設けるとともに、これら間隙の間を主要部及び両扇よりも奥に配置した接続部により接続する構造の飾り屏風において、両扇を折り畳むことによって収納スペースを小さくすることができる飾り屏風を提供する。【解決手段】板状の主要部１の背面における側縁近傍に、接続板４，５が固定されている。接続板４，５の表面における外側縁４ａ，５ａ近傍には、角柱状のスペーサー６，７が固定されている。各スペーサー６，７の厚さは、主要部１の倍である。スペーサー６，７の内側の縁には、蝶番８，１０を介して扇２，３の内側縁２ａ，３ａが取り付けられている。【選択図】図３
0003214482.tif 000002
【実用新案登録請求の範囲】
【請求項１】
矩形板状の主要部と、
この主要部の裏面における両側縁近傍に夫々固定された一対の板状の接続板と、
各接続板の表面に固定された一対のスペーサーと、
回転軸を有するとともに、前記スペーサーにより、当該回転軸と前記接続板の表面との距離が前記主要部の厚さより長くなり、且つ、前記回転軸が前記主要部の平面と平行となるように保持された少なくとも一対の蝶番と、
その裏面の縁部が前記蝶番に接続されることにより、当該蝶番の前記回転軸を中心に回動自在に保持され、前記回転軸と前記接続板の表面との距離と前記主要部の厚さとの差以下の厚さを有する一対の矩形板状の扇と
を備えたことと特徴とする飾り屏風。
【請求項２】
前記一対のスペーサーは、それぞれ、角柱状であり、その前記主要部側の縁に前記蝶番が固定されている
ことを特徴とする請求項１記載の飾り屏風。
【請求項３】
前記一対の扇の厚さは前記主要部の厚さと同じであり、前記スペーサーにより保持された前記蝶番における前記回転軸の前記接続板の表面との距離は、前記主要部の厚さの倍である
ことを特徴とする請求項１又は２記載の飾り扇。
【考案の詳細な説明】
【技術分野】
【０００１】
本考案は、ひな人形や五月人形や小物類などの展示物の背景を演出するために、これら展示物の背後に立てられる飾り屏風に、関する。
【背景技術】
【０００２】
我が国には、正月や節句等の祭祀の時期に、伝統的モチーフを表した人形やミニチュアなどの展示物を飾る風習がある。たとえば、桃の節句においては、平安朝の宮廷人を表現した雛人形や道具類のミニチュアを飾り、端午の節句においては、中世の武士を表現した武者人形や甲冑及び武具のミニチュアを飾る、といったごとくである。
【０００３】
しかしながら、平安朝の装束や道具を置くに相応しい空間は本来寝殿造りの宮殿であり、中世の甲冑や武具を置くに相応しい空間は本来書院造りの武家屋敷であるが、現在の住宅事情では、寝殿造りや書院造りの空間を再現することは困難である。そのため、一般に、展示物の背後に平安朝風や中世風の絵柄を描いた飾り屏風を立て、これを展示物の背景とすることにより、展示物が置かれた空間に平安朝や中世の雰囲気を醸し出す演出が、なされている。
【０００４】
かかる飾り屏風として一般に流通しているものは、複数の扇を蝶番で繋げてなる伝統的な家具としての屏風をミニチュア化したものであるが（特許文献１）、平面視において各扇を波型となるように広げて自立させる構造であるがゆえに、それ自体の設置のために必要な空間の奥行が広くなる。そのため、従来、伝統的な屏風とは一線を画した飾り屏風独自の構造が、提案されてきている。すなわち、特許文献２に記載されたように、人形や主要なミニチュアの背景となる主要部を一枚の板とし、その左右両端縁に、それぞれ蝶番を介して一対の扇を接続した構造である。この構造の屏風は、蝶番を中心として両扇が主要部に対してなす角度が鈍角となる状態では、屏風全体の重心が主要部よりも前方且つ両扇の端部よりも後方に存在するので、安定的に自立することができる。かかる使用状態においても、主要部が占める空間の奥行は主要部自体の厚みに限られるので、屏風自体の設置のために必要となる空間は最小限で済むのである。
【０００５】
しかしながら、特許文献２に記載された従来の構造の屏風では、特許文献１に記載された伝統的構造の屏風と異なり、人形やミニチュアの背景を構成する面が３面だけ（即ち、主要部の表面及び両扇の各表面）となるので、背景が単調となり、例えば、３面毎に絵柄を切り替えるというデザインをしても、切り替えが引き立たず、まとまりの悪いデザインになりがちであるという問題がある。
【０００６】
そこで、本考案者は、図４ないし図６に示すような構造の飾り屏風を開発して、製造販売している。以下、当該飾り屏風を「従来例」と呼ぶ。
【０００７】
各図に示すように、従来例においても、その基本的な構造は、人形やミニチュアの背景となる主要部５０と、その両側において蝶番によって回動自在に取り付けられた一対の扇５１，５２とからなる。これら主要部５０及び扇５１，５２の表面に、背景の絵が例えば金箔技法によってかれるのである。ただし、従来例においては、特許文献２のものとは異なり、絵が描かれた主要部５０と各扇５１，５２との間が離間しており、それらの間隙には、例えば漆黒に塗られた接続板５３，５４が、夫々配置されている。各接続板５３，５４は、主要部５０と各扇５１，５２との間隔より幅広であり、スペーサー５５〜５８を介して、主要部５０及び両扇５１，５２の背面より後方に固定されている。ただし、各扇５１，５２との間に配置されたスペーサー５５，５８と各扇５１，５２とは、蝶番５９，６０を介して接続されている。
【０００８】
以上のような構成であるため、従来例では、主要部５０及び各扇５１，５２の表面に夫々描かれた絵が、それよりも奥まった位置に配置された接続板５３，５４によって、明確に区切られるとともに、漆黒に塗られた接続板５３，５４の表面から浮かび上がるような視覚的効果を生じるのである。
【先行技術文献】
【特許文献】
【０００９】
【特許文献１】特開平１０−３１４４６１号
【特許文献２】特開２００４−２９８５９２号
【考案の概要】
【考案が解決しようとする課題】
【００１０】
しかしながら、従来例においては、両扇５１，５２を最も開いた状態において主要部５０と面一となるよう（図８）、各スペーサー５５〜５８の厚さが均一であったので、両扇５１，５２を主要部５０に接近するよう回動させても、図７に示すように、主要部５０の表面と平行となり且つ面接触する位置までは回動させることができず、それゆえに、屏風全体をコンパクトに折畳めないという問題が発生した。このような構造上の問題があるため、従来例を収納する場合には、図８に示すように、両扇５１，５２を拡げてケースに収容しなければならないので、収納スペースが却って大きくなってしまっていた。
【００１１】
以上に鑑み、本考案の課題は、主要部と両扇との間に間隙を設けるとともに、これら間隙の間を主要部及び両扇よりも奥に配置した接続部により接続する構造を採用しながら、両扇を主要部表面と平行となり且つ面接触する位置まで回動させることができ、もって、両扇を折り畳むことによって収納スペースを小さくすることができる飾り屏風を、提供することである。
【課題を解決するための手段】
【００１２】
本考案による飾り屏風は、上記課題を解決するために、矩形板状の主要部と、この主要部の裏面における両側縁近傍に夫々固定された一対の板状の接続板と、各接続板の表面に固定された一対のスペーサーと、回転軸を有するとともに、前記スペーサーにより、当該回転軸と前記接続板の表面との距離が前記主要部の厚さより長くなり、且つ、前記回転軸が前記主要部の平面と平行となるように保持された少なくとも一対の蝶番と、その裏面の縁部が前記蝶番に接続されることにより、当該蝶番の前記回転軸を中心に回動自在に保持され、前記回転軸と前記接続板の表面との距離と前記主要部の厚さとの差以下の厚さを有する一対の矩形板状の扇とを備えたことを、特徴とする。
【考案の効果】
【００１３】
以上のように構成された本考案による飾り屏風によると、主要部と両扇との間に間隙を設けるとともに、これら間隙の間を主要部及び両扇よりも奥に配置した接続部により接続する構造を採用しながら、両扇を主要部表面と平行となり且つ面接触する位置まで回動させることができ、もって、両扇を折り畳むことによって収納スペースを小さくすることができる。
【図面の簡単な説明】
【００１４】
【図１】使用状態にある実施例の飾り屏風を前方上方から見た状態を示す俯瞰図
【図２】最も扇を拡げた状態にある実施例の飾り屏風を示す正面図
【図３】最も扇を拡げた状態にある実施例の飾り屏風を示す上面図
【図４】最も扇を拡げた状態にある実施例の飾り屏風を示す背面図
【図５】扇を閉じた状態にある実施例の飾り屏風を示す上面図
【図６】最も扇を拡げた状態にある従来例の正面図
【図７】扇を閉じた状態にある従来例の正面図
【図８】最も扇を拡げた状態にある従来例の上面図
【考案を実施するための形態】
【００１５】
以下、図面に基づいて、本考案による飾り屏風の実施例を説明する。
【００１６】
図１乃至図４に示すように、本実施例の飾り屏風は、従来例と同様に、人形やミニチュア等の展示物のうち主要な展示物の背後に置かれる矩形板状の主要部１と、主要部１の両側方にそれぞれ配置されるとともに、当該主要部１と同じ高さ及び厚さを有するとともに当該主要部１の半分よりも幅が狭い矩形板状の一対の扇２，３とを、後述する機構によって接続してなる。これら主要部１及び両扇２，３の表面には、展示物が置かれるに相応しい空間を演出するための一連の絵画や、共通のテーマの下に相互に関連するモチーフを共通の手法で描いた絵が、描かれている。
【００１７】
これら主要部１と各扇２，３とを接続する機構は、これら主要部１及び両扇２，３よりも若干高さが低い矩形板状の接続板４，５と、各接続板４，５の外側の側縁４ａ，５ａ近傍と各扇２，３の内側の側縁２ａ，３ａ近傍との間に配置された角柱状のスペーサー６，７と、各スペーサー６，７と各扇２，３とを連結する二対の蝶番８，９，１０，１１とから、構成されている。
【００１８】
各接続板４，５の表面は、主要部１及び各扇２，３の表面に夫々描かれた絵を明確に分断し、これらの絵を視覚的に浮かび上がらせるデザイン上の切り返しの効果を奏するよう、例えば漆黒や朱色に塗られている。各接続板４，５の内側の側縁４ｂ，５ｂ近傍は、主要部１の背面における側縁近傍に、例えば、接着剤又は木ねじにより接続されている。すなわち、従来例と異なり、実施例の飾り屏風においては、主要部１と接続板４，５との間のスペーサーが排除されている。
【００１９】
各スペーサー６，７は、主要部１と各接続板４，５との接続しろとほぼ同じ幅及び各接続板４，５と同じ高さを有するとともに、主要部１の二倍の厚さを有する。そして、各スペーサー６，７の外側の側面６ａ，７ａは、各接続板４，５の外側の縁４ａ，５ａと揃えられている。なお、各スペーサー６，７は、接続板４，５に対して接着剤又は木ねじによって固定されている。
【００２０】
各扇２，３は、それぞれ、二個の蝶番８，９，１０，１１により、各スペーサー６，７の長手方向に直行する面内で回動自在となるように、各スペーサー６，７に取り付けられている。そして、各扇２，３が主要部１から離反し且つ主要部１と平行となる回動位置(図)２〜４の状態）においては、各スペーサー６，７の内側の側面６ｂ，７ｂは、各扇２，３の内側面２ａ，３ａと揃えられている。なお、各蝶番８，９，１０，１１の羽は、各スペーサー６，７の表面及び各扇２，３の裏面に固定され、それら羽同士を回動させる回転軸としての軸筒が各スペーサー６，７の内側の縁及び各扇２，３の裏面と内側面２ａ，３ａとの縁に近接して配置されているので、図２〜図４に示す最も拡げた状態においても、図１に示す使用状態においても、各蝶番８，９，１０，１１の羽は表側からは見えず、わずかに、軸筒が表側から見えるだけなので、主要部１及び各扇２，３の表に描かれた絵及び各接続板４，５が醸し出す美観を損なうこともない。その結果、各蝶番８，９，１０，１１の回転軸である軸筒は、各接続板４，５の表面との距離が主要部１の厚さの倍となり、且つ、主要部１の表面と平行となるように、保持されているのである。また、各扇２，３の厚さは、各蝶番８，９，１０，１１の軸筒と各接続板４，５との距離と主要部１の厚さとの差と同じ厚さとなっている。
【００２１】
以上のように構成される本実施例の飾り屏風によると、使用時においては、図１に示すように、両扇２，３を、主要部１に対して約１３５°の角度をなすように拡げて、人形やミニチュアなどの展示物を飾る台又は床上に置く。すると、主要部１の下縁及び両扇２，３の下縁の全体が上記台又は床に接触するとともに、飾り屏風全体の重心が、主要部１及び両扇２，３によって囲まれた空間の内部に存在することになるので、飾り屏風が安定的に自立する。
【００２２】
また、本実施例では、従来例と頃なり、主要部１と各接続板４，５との間のスペーサーが排除され、各接続板４，５と各扇２，３との間のスペーサー６，７の厚さが主要部１の倍（すなわち、主要部１の厚さと各扇２，３の厚さとを合わせた寸法と同じ）なので、各蝶番８，９，１０，１１の軸筒を中心に、各扇２，３を主要部１の表面に接近する回転方向（図３において、左の扇２については反時計方向，右の扇３については時計方向）に回動させると、ついには、図５に示すように、各扇２，３は、主要部１の表面と面接触し、主要部１と平行となり且つ各スペーサー６，７と面一となる。
【００２３】
以上のように、本実施例の飾り屏風によると、両扇２，３を主要部１と平行となり且つ主要部１の表面と面接触するように折り畳めるので、収納スペースを小さくすることができる。また、主要部１の表面と両扇２，３の表面とは相互に面接触する為、局所的に力が集中して掛かることがないので、これら表面に描かれた絵が傷ついたり擦れることがない。なお、かかる折り畳み状態において、主要部１と両扇２，３との間に絵の保護用の紙又は布製のシートを挟んでも良いことは、もちろんである。
【００２４】
なお、本実施例において、各接続板４，５の形状は、板状であれば、矩形状の他、様々な形状であっても良い。また、各扇２，３の厚さは、各蝶番８，９，１０，１１の軸筒と各接続板４，５との距離と主要部１の厚さとの差以下であれば、必ずしも主要部１の厚さと同じでなくても良い。
【産業上の利用可能性】
【００２５】
本考案は、人形やミニチュアを展示する場合の他、茶器等の小物類を飾る場合に用いられるので、そのような展示物を装飾する道具を製造する産業で利用される。  
【符号の説明】
【００２６】
１    主要部
２    扇
３    扇
４    接続板
５    接続板
６    スペーサー
７    スペーサー
８    蝶番
９    蝶番
１０    蝶番
１１    蝶番
【図１】
0003214482.tif 000003
【図２】
0003214482.tif 000004
【図３】
0003214482.tif 000005
【図４】
0003214482.tif 000006
【図５】
0003214482.tif 000007
【図６】
0003214482.tif 000008
【図７】
0003214482.tif 000009
【図８】
0003214482.tif 000010